(57)【特許請求の範囲】
【請求項１】
無線通信システムにおける中継器の無線リソース割当方法において、
基地局から上位階層信号を介してサブフレーム内で前記基地局から信号を受信する中継器領域が開始されるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを指示する設定情報を受信し、
前記設定情報に基づいて前記サブフレーム内で前記中継器領域を割り当て、
前記中継器領域を介して前記基地局から信号を受信し、
前記サブフレームは、時間領域で１４個のＯＦＤＭシンボルで構成され、前記サブフレームの最初のＯＦＤＭシンボルには前記基地局に連結された端末に対する制御情報が送信されるＰＤＣＣＨ（ｐｈｙｓｉｃａｌ  ｄｏｗｎｌｉｎｋ  ｃｏｎｔｒｏｌ  ｃｈａｎｎｅｌ）のＯＦＤＭシンボル個数を示すＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）を含み、前記ＰＣＦＩＣＨは、１〜３のＯＦＤＭシンボルのうちいずれか一つを指示し、
前記設定情報は、前記サブフレームの３番目のＯＦＤＭシンボル及び４番目のＯＦＤＭシンボルのうちいずれか一つを指示することを特徴とする方法。
【請求項２】
前記サブフレームは、前記１４個のＯＦＤＭシンボルのうち前方部の７個のＯＦＤＭシンボルで構成される第１のスロットと残りの７個のＯＦＤＭシンボルで構成される第２スロットで構成され、前記設定情報は、前記第１のスロットで前記中継器領域が開始されるＯＦＤＭシンボルを指示することを特徴とする請求項１に記載の方法。
【請求項３】
前記中継器領域の割当は、ＰＲＢ（Ｐｈｙｓｉｃａｌ  Ｒｅｓｏｕｒｃｅ  Ｂｌｏｃｋ）またはＶＲＢ（Ｖｉｒｔｕａｌ  Ｒｅｓｏｕｒｃｅ  Ｂｌｏｃｋ）単位で構成される請求項１に記載の方法。
【請求項４】
前記中継器領域は、前記サブフレームで前記設定情報により指示されるＯＦＤＭシンボルから最後のＯＦＤＭシンボルまで構成されることを特徴とする請求項１に記載の方法。
【請求項５】
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、基地局から上位階層信号を介してサブフレーム内で中継器領域が開始されるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを指示する設定情報を受信し、
前記設定情報に基づいて前記サブフレーム内で前記中継器領域を割り当て、
前記中継器領域を介して前記基地局から信号を受信し、
前記サブフレームは、時間領域で１４個のＯＦＤＭシンボルで構成され、前記サブフレームの最初のＯＦＤＭシンボルには前記基地局に連結された端末に対する制御情報が送信されるＰＤＣＣＨ（ｐｈｙｓｉｃａｌ  ｄｏｗｎｌｉｎｋ  ｃｏｎｔｒｏｌ  ｃｈａｎｎｅｌ）のＯＦＤＭシンボル個数を示すＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）を含み、前記ＰＣＦＩＣＨは、１〜３のＯＦＤＭシンボルのうちいずれか一つを指示し、前記設定情報は、前記サブフレームの３番目のＯＦＤＭシンボル及び４番目のＯＦＤＭシンボルのうちいずれか一つを指示することを特徴とする中継器。
【発明の詳細な説明】
【技術分野】
【０００１】
本発明は、無線通信に関し、より詳しくは、無線通信システムにおける下位互換性を保障するサブフレーム構造の設計及びこれを用いた通信に関する。
【背景技術】
【０００２】
ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏ  ｃｏｍｍｕｎｉｃａｔｉｏｎ  ｓｅｃｔｏｒ）では３世帯以後の次世代移動通信システムであるＩＭＴ（Ｉｎｔｅｒｎａｔｉｏｎａｌ  Ｍｏｂｉｌｅ  Ｔｅｌｅｃｏｍｍｕｎｉｃａｔｉｏｎ）−Ａｄｖａｎｃｅｄの標準化作業を進行している。ＩＭＴ−Ａｄｖａｎｃｅｄは、停止及び低速移動状態で１Ｇｂｐｓ、高速移動状態で１００Ｍｂｐｓのデータ送信率でＩＰ（Ｉｎｔｅｒｎｅｔ  Ｐｒｏｔｏｃｏｌ）ベースのマルチメディアサービス支援を目標にする。
【０００３】
３ＧＰＰ（３ｒｄ  Ｇｅｎｅｒａｔｉｏｎ  Ｐａｒｔｎｅｒｓｈｉｐ  Ｐｒｏｊｅｃｔ）は、ＩＭＴ−Ａｄｖａｎｃｅｄの要求事項を満たすシステム標準として、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）／ＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）送信方式に基づいたＬＴＥ（Ｌｏｎｇ  Ｔｅｒｍ  Ｅｖｏｌｕｔｉｏｎ）を改善したＬＴＥ−Ａｄｖａｎｃｅｄを準備している。ＬＴＥ−Ａｄｖａｎｃｅｄは、ＩＭＴ−Ａｄｖａｎｃｅｄのための有力な候補のうち一つである。
【０００４】
ＬＴＥ−Ａは、新しい技術、例えば、中継器、ＣｏＭＰ（Ｃｏｏｒｄｉｎａｔｅｄ  Ｍｕｌｔｉｐｌｅ  Ｐｏｉｎｔ  Ｔｒａｎｓｍｉｔ／Ｒｅｃｅｉｖｅ）等を含むことができ、改善された技術、例えば、ＬＴＥで使用する送信アンテナの数より多くの送信アンテナを使用するＭＩＭＯ拡張（ｅｘｔｅｎｔｉｏｎ）をサポートすることができる。中継器は、基地局と端末との間で信号を中継する装置であり、無線通信システムのセルカバレッジ（ｃｅｌｌ  ｃｏｖｅｒａｇｅ）を拡張させ、処理量（ｔｈｒｏｕｇｈｐｕｔ）を向上させるために使われる。
【０００５】
このようなＬＴＥ−Ａにおいて考慮すべき点がある。そのうち一つは、既存のＬＴＥで動作するように設計された端末、ネットワークなどとの下位互換性（ｂａｃｋｗａｒｄ  ｃｏｍｐａｔｉｂｉｌｉｔｙ）である。即ち、ＬＴＥ−Ａは、ＬＴＥで動作するように設計された端末、ネットワークなどもＬＴＥ−Ａで動作することができるようにサポートするのが好ましい。このような観点でサブフレーム構造の設計、即ち、サブフレーム内にどのような方法により無線リソースを割り当てるかが問題になる。
【０００６】
また、中継器は、サブフレーム内に割り当てられた無線リソース領域でブラインド復号（ｂｌｉｎｄ  ｄｅｃｏｄｉｎｇ）によって自体に割り当てられたＰＤＣＣＨを復号する。また、復号されたＰＤＣＣＨを介して中継器に割り当てられたＰＤＳＣＨを探してデータを受信する。しかし、中継器がサブフレームの周波数領域で全体周波数帯域にわたってブラインド復号を実行するのは非効率的である。
【０００７】
中継器を含む無線通信システムで既存端末に下位互換性を提供すると共に、中継器に効率的に無線リソースを割当することができる方法及びサブフレーム構造が要求される。
【発明の概要】
【発明が解決しようとする課題】
【０００８】
本発明が解決しようとする技術的課題は、中継器を含む無線通信システムで下位互換性を有すると共に、中継器に効率的に無線リソースを割り当てることができるサブフレームに対する無線リソース割当方法及び装置を提供することである。
【課題を解決するための手段】
【０００９】
無線通信システムにおける中継器のための無線リソース割当方法は、サブフレーム内で中継器に中継器領域を割り当て、前記中継器領域を介して前記中継器に中継器制御チャネルを送信することを含み、前記サブフレームは、時間領域で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び周波数領域で複数の副搬送波を含み、前記サブフレームは、セル内の端末が使用する端末領域と前記中継器が使用する前記中継器領域に分けられ、前記中継器領域は、前記複数の副搬送波のうち一部副搬送波を含む。
【００１０】
無線通信システムにおける中継器の制御チャネルモニタリング方法は、サブフレーム内で制御チャネルをモニタリングして制御チャネルを検出し、前記サブフレーム内で検出された制御チャネルの無線リソース割当が指示するデータチャネル上に中継器データを受信することを含み、前記サブフレームは、セル内の端末 が使用する端末領域と前記中継器が使用する前記中継器領域に分けられ、前記中継器は、前記中継器領域内で制御チャネルをモニタリングする。
本発明は、例えば、以下の項目も提供する。
（項目１）
無線通信システムにおける中継器のための無線リソース割当方法において、
サブフレーム内で中継器に中継器領域を割り当て、
前記中継器領域を介して前記中継器に中継器制御チャネルを送信することを含み、
前記サブフレームは、時間領域で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び周波数領域で複数の副搬送波を含み、
前記サブフレームは、セル内の端末が使用する端末領域と前記中継器が使用する前記中継器領域に分けられ、
前記中継器領域は、前記複数の副搬送波のうち一部副搬送波を含む方法。
（項目２）
前記サブフレーム内で前記中継器領域の位置を前記中継器に知らせることをさらに含む項目１に記載の方法。
（項目３）
前記中継器領域の割当は、ＰＲＢ（Ｐｈｙｓｉｃａｌ  Ｒｅｓｏｕｒｃｅ  Ｂｌｏｃｋ）またはＶＲＢ（Ｖｉｒｔｕａｌ  Ｒｅｓｏｕｒｃｅ  Ｂｌｏｃｋ）単位で構成される項目１に記載の方法。
（項目４）
無線通信システムにおける中継器の制御チャネルモニタリング方法において、
サブフレーム内で制御チャネルをモニタリングして制御チャネルを検出し、
前記サブフレーム内で検出された制御チャネルの無線リソース割当が指示するデータチャネル上に中継器データを受信することを含み、
前記サブフレームは、セル内の端末が使用する端末領域と前記中継器が使用する前記中継器領域に分けられ、
前記中継器は、前記中継器領域内で制御チャネルをモニタリングする方法。
【発明の効果】
【００１１】
既存無線通信システムとの下位互換性を提供するサブフレーム構造が提示される。中継器が自体に割り当てられた無線リソースを効率的に探して復号時間を短縮することができる。
【図面の簡単な説明】
【００１２】
【図１】無線通信システムを示す。
【図２】中継器を含む無線通信システムを示す。
【図３】３ＧＰＰ  ＬＴＥシステムのＦＤＤ（Ｆｒｅｑｕｅｎｃｙ  Ｄｉｖｉｓｉｏｎ  Ｄｕｐｌｅｘ）無線フレーム（ｒａｄｉｏ  ｆｒａｍｅ）構造を示す。
【図４】３ＧＰＰ  ＬＴＥシステムのＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。
【図５】一つのスロットに対するリソースグリッド（ｒｅｓｏｕｒｃｅ  ｇｒｉｄ）を示す例示図である。
【図６】３ＧＰＰ  ＬＴＥで使われるダウンリンクサブフレーム構造の一例を示す。
【図７】３ＧＰＰ  ＬＴＥでダウンリンクデータの送信を示す。端末は、ＰＤＣＣＨ９２により指示されるＰＤＳＣＨ９６上にダウンリンクデータを受信する。
【図８】本発明の一実施例に係るサブフレームの構造を示す。
【図９】制御領域の大きさが１であるサブフレームで中継器領域の一例を示す。
【図１０】制御領域の大きさが２であるサブフレームで中継器領域の一例を示す。
【図１１】制御領域の大きさが３であるサブフレームで中継器領域の一例を示す。
【図１２】制御領域の大きさが１であるサブフレームで中継器領域の一例を示す。
【図１３】制御領域の大きさが２であるサブフレームで中継器領域の一例を示す。
【図１４】制御領域の大きさが３であるサブフレームで中継器領域の一例を示す。
【図１５】アクセス制御領域の大きさが異なる場合、サブフレームの構造を例示する。
【図１６】中継器領域内で制御中継器領域割当の一例を示す。
【図１７】中継器領域割当の一例を示す。
【図１８】中継器領域割当の一例を示す。
【図１９】ＬＴＥ−Ａ端末のためのＰＢＣＨがＬＴＥ端末のためのＰＤＳＣＨとＦＤＭされて割り当てられる例を示す。
【図２０】ＬＴＥ−Ａ端末のためのＰＢＣＨがＬＴＥ−Ａ端末の制御領域内に割り当てられる例を示す。
【図２１】ＬＴＥ−Ａ端末のためのＳＣＨ及びＰＢＣＨの割当例を示す。
【図２２】本発明の実施例が具現されることができる無線通信システムを示すブロック図である。
【発明を実施するための形態】
【００１３】
３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＭＴＳ（Ｅｖｏｌｖｅｄ−Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部として、ダウンリンクでＯＦＤＭＡを採用し、アップリンクでＳＣ−ＦＤＭＡを採用する。ＬＴＥ−Ａ（ＬＴＥ−Ａｄｖａｎｃｅ）は、ＬＴＥの進化である。ＬＴＥシステムは、３ＧＰＰＴＳリリース（Ｒｅｌｅａｓｅ）８に基づいたシステムであり、ＬＴＥ−Ａシステムは、ＬＴＥシステムと下位互換性（ｂａｃｋｗａｒｄ  ｃｏｍｐａｔｉｂｉｌｉｔｙ）を有する。
【００１４】
説明を明確にするために、３ＧＰＰ  ＬＴＥ／ＬＴＥ−Ａを中心に記述するが、本発明の技術的思想がこれに制限されるものではない。以下、ＬＴＥ端末は、ＬＴＥをサポートする端末であり、ＬＴＥ−Ａ端末は、ＬＴＥ及び／またはＬＴＥ−Ａをサポートする端末である。しかし、これは例示に過ぎず、ＬＴＥ端末は、第１のＲＡＴ（Ｒａｄｉｏ  Ａｃｃｅｓｓ  Ｔｅｃｈｎｏｌｏｇｙ）をサポートする第１の端末に示してもよく、ＬＴＥ−Ａ端末は、前記第１のＲＡＴ及び第１のＲＡＴに下位互換性を提供する第２のＲＡＴをサポートする第２の端末に示してもよい。
【００１５】
図１は、無線通信システムを示す。
【００１６】
図１を参照すると、無線通信システム１０は、少なくとも一つの基地局（Ｂａｓｅ  Ｓｔａｔｉｏｎ；ＢＳ）１１を含む。各基地局１１は、一般的にセル（ｃｅｌｌ）と呼ばれる特定の地理的領域１５に対して通信サービスを提供する。また、セルは、複数の領域に分けられることができ、それぞれの領域はセクター（ｓｅｃｔｏｒ）と呼ぶ。基地局１１は、一般的に端末１２と通信する固定局（ｆｉｘｅｄ  ｓｔａｔｉｏｎ）をいい、ｅＮＢ（ｅｖｏｌｖｅｄ  ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＡＮ（Ａｃｃｅｓｓ  Ｎｅｔｗｏｒｋ）等、他の用語で呼ばれることができる。基地局１１は、端末１２との連結性（ｃｏｎｎｅｃｔｉｖｉｔｙ）、管理（ｍａｎａｇｅｍｅｎｔ）、制御及びリソース割当のような機能を実行することができる。
【００１７】
端末（Ｕｓｅｒ  Ｅｑｕｉｐｍｅｎｔ；ＵＥ）１２は、固定されたり、或いは移動性を有することができ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、無線機器（Ｗｉｒｅｌｅｓｓ  Ｄｅｖｉｃｅ）、ＰＤＡ（Ｐｅｒｓｏｎａｌ  Ｄｉｇｉｔａｌ  Ａｓｓｉｓｔａｎｔ）、無線モデム（Ｗｉｒｅｌｅｓｓ  Ｍｏｄｅｍ）、携帯機器（Ｈａｎｄｈｅｌｄ  Ｄｅｖｉｃｅ）、ＡＴ（Ａｃｃｅｓｓ  Ｔｅｒｍｉｎａｌ）等、他の用語で呼ばれることができる。以下、ダウンリンク（Ｄｏｗｎｌｉｎｋ；ＤＬ）は、基地局１１から端末１２への通信を意味し、アップリンク（Ｕｐｌｉｎｋ；ＵＬ）は、端末１２から基地局１１への通信を意味する。
【００１８】
図２は、中継器を含む無線通信システムを示す。中継器（Ｒｅｌａｙ  Ｓｔａｔｉｏｎ；ＲＳ）１６は、基地局１１と端末１４との間で信号を中継する機器をいい、ＲＮ（Ｒｅｌａｙ  Ｎｏｄｅ）、リピータ（ｒｅｐｅａｔｅｒ）、中継局など、他の用語で呼ばれることができる。
【００１９】
端末は、マクロ端末（ｍａｃｒｏ  ＵＥ；Ｍａ  ＵＥ）１３と中継器端末（ｒｅｌａｙ  ＵＥ；Ｒｅ  ＵＥ）１４に区分することができる。ここで、マクロ端末１３は、基地局１１と直接通信する端末であり、中継器端末１４は、中継器と通信する端末である。基地局１１のセル内にあるマクロ端末１３であるとしても、ダイバーシティ効果による送信速度の向上のために中継器１６を経て基地局１１と通信することができる。マクロ端末１３及び／または中継器端末１４は、ＬＴＥ端末またはＬＴＥ−Ａ端末を含むことができる。
【００２０】
以下、バックホール（ｂａｃｋｈａｕｌ）リンクは、基地局１１と中継器１６との間のリンクを意味し、バックホールダウンリンクは、基地局１１から中継器１６への通信を意味し、バックホールアップリンクは、中継器１６から基地局１１への通信を意味する。アクセス（ａｃｃｅｓｓ）リンクは、中継器１６と中継器端末１４との間のリンクを意味し、アクセスダウンリンクは、中継器１６から中継器端末１４への通信を意味し、アクセスアップリンクは、中継器端末１４から中継器１６への通信を意味する。
【００２１】
図３は、３ＧＰＰ  ＬＴＥシステムのＦＤＤ（Ｆｒｅｑｕｅｎｃｙ  Ｄｉｖｉｓｉｏｎ  Ｄｕｐｌｅｘ）無線フレーム（ｒａｄｉｏ  ｆｒａｍｅ）構造を示す。これは３ＧＰＰ  ＴＳ  ３６．２１１（Ｖ８．４．０）“Ｔｅｃｈｎｉｃａｌ  Ｓｐｅｃｉｆｉｃａｔｉｏｎ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”の４．１節を参照することができる。ＦＤＤモードでダウンリンク送信及びアップリンク送信は周波数領域で分離されて区分される。
【００２２】
図３を参照すると、無線フレーム（ｒａｄｉｏ  ｆｒａｍｅ）は、１０個のサブフレーム（ｓｕｂｆｒａｍｅ）で構成され、一つのサブフレームは、２個のスロット（ｓｌｏｔ）で構成される。例えば、一つのサブフレームの長さは１ｍｓであり、一つのスロットの長さは０．５ｍｓである。スロットは、正規（Ｎｏｒｍａｌ）ＣＰ（Ｃｙｃｌｉｃ  Ｐｒｅｆｉｘ）で７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルで構成されることができ、拡張（Ｅｘｔｅｎｄｅｄ）ＣＰで６個のＯＦＤＭシンボルで構成されることができる。従って、正規ＣＰを有する正規（ｎｏｒｍａｌ）サブフレームは、１４個のＯＦＤＭシンボルを含み、拡張ＣＰを有する拡張（ｅｘｔｅｎｄｅｄ）サブフレームは、１２個のＯＦＤＭシンボルを含むことができる。
【００２３】
図４は、３ＧＰＰ  ＬＴＥシステムのＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。これは３ＧＰＰ  ＴＳ  ３６．２１１（Ｖ８．４．０）の４．２節を参照することができる。
【００２４】
図４を参照すると、無線フレーム（ｒａｄｉｏ  ｆｒａｍｅ）は、２個の半フレーム（ｈａｌｆ−ｆｒａｍｅ）で構成される。半フレームは、５個のサブフレームで構成される。
【００２５】
アップリンクとダウンリンクの区分は、サブフレーム単位でし、アップリンクサブフレームとダウンリンクサブフレームは、スイッチングポイント（ｓｗｉｔｃｈｉｎｇ  ｐｏｉｎｔ）により分離される。スイッチングポイントは、アップリンクサブフレームとダウンリンクサブフレームとの間で、アップリンク及びダウンリンクを分離させる領域である。無線フレームには、少なくとも一つのスイッチングポイントが存在する。スイッチングポイントは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ；保護区間）及びＵｐＰＴＳ（Ｕｐｌｉｎｋ  Ｐｌｉｏｔ  Ｔｉｍｅ  Ｓｌｏｔ）を含む。ＤｗＰＴＳは、初期セル探索、同期化またはチャネル推定に使われる。ＵｐＰＴＳは、基地局におけるチャネル推定と端末の上向き送信同期を合せる時に使われる。ＧＰは、アップリンクとダウンリンクとの間にダウンリンク信号の多重経路遅延によりアップリンクで発生する干渉を除去するための保護区間である。
【００２６】
図３及び図４の無線フレーム構造は例示に過ぎず、前記無線フレームに含まれるサブフレームの数またはサブフレームに含まれるスロットの数は多様に変更されることができる。
【００２７】
図５は、一つのスロットに対するリソースグリッド（ｒｅｓｏｕｒｃｅ  ｇｒｉｄ）を示す例示図である。
【００２８】
図５を参照すると、スロット（例えば、ダウンリンクサブフレームに含まれたダウンリンクスロット）は、時間領域（ｔｉｍｅ  ｄｏｍａｉｎ）で複数のＯＦＤＭシンボルを含む。ここで、一つのダウンリンクスロットは、７ＯＦＤＭシンボルを含み、一つのリソースブロックは、周波数領域で１２副搬送波を含むことを例示的に記述するが、これに制限されるものではない。
【００２９】
リソースグリッド上の各要素（ｅｌｅｍｅｎｔ）をリソース要素（ｒｅｓｏｕｒｃｅ  ｅｌｅｍｅｎｔ）といい、一つのリソースブロック（ｒｅｓｏｕｒｃｅ  ｂｌｏｃｋ；ＲＢ）は、１２×７個のリソース要素を含む。ダウンリンクスロットに含まれるリソースブロックの数ＮＤＬは、セルで設定されるダウンリンク送信帯域幅（ｂａｎｄｗｉｄｔｈ）に従属する。
【００３０】
３ＧＰＰ  ＬＴＥでリソースブロックは物理的リソースブロック（Ｐｈｙｓｉｃａｌ  Ｒｅｓｏｕｒｃｅ  Ｂｌｏｃｋ；ＰＲＢ）と仮想リソースブロック（Ｖｉｒｔｕａｌ  Ｒｅｓｏｕｒｃｅ  Ｂｌｏｃｋ；ＶＲＢ）に分けられる。ＰＲＢは、時間領域でＮＤＬｓｙｍｂＯＦＤＭシンボルと周波数領域でＮＲＢｓｃ副搬送波を含む。ＮＤＬｓｙｍｂは１スロットに含まれるＯＦＤＭシンボルの個数であり、ＮＲＢｓｃは一つのリソースブロックに含まれる副搬送波の個数である。ＰＲＢは、周波数領域で０からＮＤＬＲＢ−１までインデックス番号が付けられる。ＮＤＬＲＢは、ダウンリンク帯域幅によるリソースブロックの総個数である。周波数領域でＶＲＢインデックスｎＰＲＢは、スロット内のリソース要素（ｋ，ｌ）と次のような関係がある。
【００３１】
【数１】
0005184703.tif 000002
ＶＲＢはＰＲＢと同一大きさであり、ローカルタイプ（ｌｏｃａｌｉｚｅｄ  ｔｙｐｅ）と分散タイプ（ｄｉｓｔｒｉｂｕｔｅｄ  ｔｙｐｅ）に分けられる。ローカルタイプＶＲＢは、ＶＲＢ  ｎＶＲＢがＰＲＢ  ｎＰＲＢに対応されるようにＰＲＢに直接マッピングされる。
【００３２】
分散タイプＶＲＢは、次のようにＰＲＢにマッピングされる。まず、パラメータＮｇａｐは、次の表のように与えられる。
【００３３】
【表１】
0005184703.tif 000003
ＮｇａｐがＮｇａｐ，１か或いはＮｇａｐ，２かは、ダウンリンクグラントの一部で基地局が端末に知らせる。
【００３４】
ＶＲＢは、０からＮＤＬＶＲＢ−１までインデックス番号が付けられる。ＶＲＢの個数ＮＤＬＶＲＢは、Ｎｇａｐに基づいて決定され、ＶＲＢインデックスによって再びＶＲＢはインターリービングされる。より詳細なＶＲＢからＰＲＢへのマッピングは、３ＧＰＰ  ＴＳ  ３６．  ２１１（Ｖ８．４．０）の６．２．３．２節を参照することができる。
【００３５】
以下、リソースブロックは、特別に明示されない限りＰＲＢを意味する。
【００３６】
図６は、３ＧＰＰ  ＬＴＥで使われるダウンリンクサブフレーム構造の一例を示す。
【００３７】
図６を参照すると、サブフレームは、２個のスロットを含む。サブフレーム内の第１のスロットの前方部の最大３ＯＦＤＭシンボルは、制御チャネルが割り当てられる制御領域（ｃｏｎｔｒｏｌ  ｒｅｇｉｏｎ）であり、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域である。
【００３８】
ＬＴＥで使われるダウンリンク制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）等がある。サブフレームの最初ＯＦＤＭシンボルから送信されるＰＣＦＩＣＨは、サブフレーム内で制御チャネルの送信に使われるＯＦＤＭシンボルの数（即ち、制御領域の大きさ）に関する情報を運ぶ。
【００３９】
ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。即ち、端末が送信したアップリンクデータに対するＡＣＫ／ＮＡＣＫ信号はＰＨＩＣＨ上に送信される。ＰＨＩＣＨ期間（ｄｕｒａｔｉｏｎ）は、ＰＨＩＣＨの送信に使われることができるＯＦＤＭシンボルの個数を意味する。
【００４０】
ＰＤＣＣＨは、ＤＬ−ＳＣＨ（Ｄｏｗｎｌｉｎｋ  Ｓｈａｒｅｄ  Ｃｈａｎｎｅｌ）のリソース割当及び送信フォーマット、ＵＬ−ＳＣＨ（Ｕｐｌｉｎｋ  Ｓｈａｒｅｄ  Ｃｈａｎｎｅｌ）のリソース割当情報、ＰＣＨ上のページング情報、ＤＬ−ＳＣＨ上のシステム情報、ＰＤＳＣＨ上に送信されるランダムアクセス応答のような上位階層制御メッセージのリソース割当、任意の端末グループ内の個別端末に対する送信パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で送信されることができ、端末は、複数のＰＤＣＣＨをモニタリングすることができる。ＰＤＣＣＨは、一つまたは複数の連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に送信される。ＣＣＥは、無線チャネルの状態による符号化率をＰＤＣＣＨに提供するために使われる論理的割当単位である。ＣＣＥは、複数のリソース要素グループ（ｒｅｓｏｕｒｃｅ  ｅｌｅｍｅｎｔ  ｇｒｏｕｐ）に対応される。ＣＣＥの数とＣＣＥにより提供される符号化率の関連関係によってＰＤＣＣＨのフォーマット及び可能なＰＤＣＣＨのビット数が決定される。ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ；ＤＣＩ）と呼ぶ。ＤＣＩは、アップリンクリソース割当情報（またはアップリンクグラントと呼ぶ）、ダウンリンクリソース割当情報（またはダウンリンクグラントと呼ぶ）及び任意の端末グループに対するアップリンク送信パワー制御命令などを示す。
【００４１】
次の表は、ＤＣＩフォーマットによるＤＣＩを示す。
【００４２】
【表２】
0005184703.tif 000004
ＤＣＩフォーマット０はアップリンクリソース割当情報を示し、ＤＣＩフォーマット１〜２はダウンリンクリソース割当情報を示し、ＤＣＩフォーマット３、３Ａは任意の端末グループに対するアップリンクＴＰＣ（ｔｒａｎｓｍｉｔ  ｐｏｗｅｒ  ｃｏｎｔｒｏｌ）命令を示す。
【００４３】
基地局は端末に送ろうとするＤＣＩによってＰＤＣＣＨフォーマットを決定し、ＤＣＩにＣＲＣ（Ｃｙｃｌｉｃ  Ｒｅｄｕｎｄａｎｃｙ  Ｃｈｅｃｋ）を付ける。ＣＲＣにはＰＤＣＣＨの所有者（ｏｗｎｅｒ）や用途によって固有な識別子（これをＲＮＴＩ（Ｒａｄｉｏ  Ｎｅｔｗｏｒｋ  Ｔｅｍｐｏｒａｒｙ  Ｉｄｅｎｔｉｆｉｅｒ）と呼ぶ）がマスキングされる。特定端末のためのＰＤＣＣＨの場合、端末の固有識別子、例えば、Ｃ−ＲＮＴＩ（Ｃｅｌｌ−ＲＮＴＩ）がＣＲＣにマスキングされることができる。
【００４４】
制御領域内でＰＤＣＣＨを検索するための空間を検索空間（ｓｅａｒｃｈ  ｓｐａｃｅ）と呼ぶ。モニタリングされるＰＤＣＣＨ候補の集合は検索空間によって定義される。一つのサブフレーム内でＰＤＣＣＨのための全体ＣＣＥの集合をＣＣＥ集合とする時、検索空間は、ＣＣＥ集団レベルによってＣＣＥ集合内で特定開始点に始める隣接する（ｃｏｎｔｉｇｕｏｕｓ）ＣＣＥの集合である。ＣＣＥ集団レベルは、ＰＤＣＣＨを検索するためのＣＣＥ単位であり、その大きさは隣接するＣＣＥの数により定義される。また、ＣＣＥ集団レベルは、ＰＤＣＣＨの送信に使われるＣＣＥの数を意味する。ＣＣＥ集団レベルによって検索空間が各々定義される。ＰＤＤＣＨ候補の位置は、検索空間内でＣＣＥ集団レベルの大きさ毎に発生する。
【００４５】
検索空間は、共用（ｃｏｍｍｏｎ）検索空間と端末特定（ＵＥ−ｓｐｅｃｉｆｉｃ）検索空間に分類することができる。共用検索空間は、セル内の全ての端末によりモニタリングされ、端末特定検索空間は、特定端末によりモニタリングされる。端末は受信しようとする制御情報によって共用検索空間及び／または端末特定検索空間をモニタリングする。共用検索空間がサポートするＣＣＥ集団レベルの数は、端末特定検索空間がサポートするＣＣＥ集団レベルの数より小さい。共用検索空間と端末特定空間は重なる（ｏｖｅｒｌａｐ）ことができる。
【００４６】
図７は、３ＧＰＰ  ＬＴＥでダウンリンクデータの送信を示す。端末は、ＰＤＣＣＨ９２により指示されるＰＤＳＣＨ９６上にダウンリンクデータを受信する。端末は、ダウンリンクサブフレームでＰＤＣＣＨ９２をモニタリングし、ダウンリンクリソース割当をＰＤＣＣＨ９２上に受信する。端末は、前記ダウンリンクリソース割当が示すＰＤＳＣＨ９６上にダウンリンクデータを受信する。
【００４７】
ダウンリンクリソース割当を含むＤＣＩフォーマットは、表２によると、ＤＣＩフォーマット１、１Ａ、１Ｂ、１Ｃ、１Ｄ、２、２Ａがある。端末は、検出されたＤＣＩフォーマットによってリソース割当を解析する。
【００４８】
参照文献で統合される３ＧＰＰ  ＴＳ３６．２１３（Ｖ８．４．０）の７．１．６節によると、ＤＣＩフォーマットによって三つのタイプのリソース割当がある。ＤＣＩフォーマット１、２、２Ａは、リソース割当タイプ０またはタイプ１を使用し、ＤＣＩフォーマット１Ａ、１Ｂ、１Ｃ、１Ｄは、リソース割当タイプ２を使用する。リソース割当タイプ０か、或いはタイプ１かは、ＰＤＤＣＨに含まれるリソース割当フィールドにより決まる。従って、リソース割当タイプ２のみを使用するＤＣＩフォーマット１Ａ、１Ｂ、１Ｃ、１Ｄは、リソース割当フィールドを有しない。
【００４９】
リソース割当タイプ０は、端末に割り当てられるＲＢＧ（ｒｅｓｏｕｒｃｅ  ｂｌｏｃｋ  ｇｒｏｕｐ）を指示するビットマップを含む。ＲＢＧは、連続的なＰＲＢの集合である。ＲＢＧの大きさＰは、システム帯域幅に従属する。ＲＢＧの総個数ＮＲＢＧは、ＮＲＢＧ＝ＮＤＬＲＢ／Ｐに与えられる。リソース割当タイプ１は、Ｐ個のＲＢＧ副集合のうち一つから選択されたＰＲＢの集合から端末に割り当てられるＲＢＧを指示する。即ち、リソース割当タイプ０は、全体ＲＢＧで端末に割り当てられるＲＢＧを絶対的な位置値に知らせ、リソース割当タイプ１は、全体ＲＢＧを複数の副集合に分け、副集合内で端末に割り当てられるＲＢＧを知らせる。リソース割当タイプ２は、端末に割り当てられる複数の隣接するＶＲＢを指示する。ＤＣＩフォーマット１Ａ、１Ｂ、１Ｃ、１Ｄは、ローカルタイプＶＲＢまたは分散タイプＶＲＢを指示する１ビットフラッグを含む。
【００５０】
＜中継器領域割当方式＞
図８は、本発明の一実施例に係るサブフレームの構造を示す。
【００５１】
図８を参照すると、サブフレームは、時間領域でＮ（例えば、１２または１４）個のＯＦＤＭシンボルを含む。サブフレームは、既存３ＧＰＰ  ＬＴＥ端末及び／またはＬＴＥ−Ａ端末をサポートするための制御領域１１０とデータ領域１２０を含む。以下、マクロ端末は、基地局により直接サービスされる３ＧＰＰ  ＬＴＥ及び／または３ＧＰＰ  ＬＴＥ−Ａをサポートする端末を意味する。また、サブフレームは、中継器をサポートするための中継器領域１３０、１４０を含む。即ち、中継器領域１３０、１４０は、既存データ領域で一部領域を中継器のための無線リソースとして割り当てたものである。ここでは２個の中継器領域１３０、１４０を例示的に示しているが、サブフレーム内で中継器領域の個数は制限でない。
【００５２】
制御領域１１０は、Ｎ個のＯＦＤＭシンボルのうち前方部のＭ個のＯＦＤＭシンボルを含み、中継器領域１３０、１４０は、前記制御領域１１０と一つのＯＦＤＭシンボル全体または一部ほど離れたＰ個のＯＦＤＭシンボルを含むことができる。ここで、０＜Ｐ＜（Ｎ−Ｍ）である。従って、制御領域１１０と中継器領域１３０、１４０は、時間領域で区分され、これをＴＤＭ（ｔｉｍｅ  ｄｉｖｉｓｉｏｎ  ｍｕｌｔｉｐｌｅｘｉｎｇ）されているという。
【００５３】
中継器領域（ｒｅｌａｙ  ｚｏｎｅ）１３０、１４０は、サブフレーム内で周波数領域で分離されることができる。即ち、第１の中継器領域１３０と第２の中継器領域１４０は、相違の周波数（または副搬送波）を占める。即ち、サブフレームが周波数領域で複数の副搬送波（ｓｕｂｃａｒｒｉｅｒ）を含む時、前記中継器領域１３０、１４０は、Ｎ個のＯＦＤＭシンボルのうち前方部の少なくとも一つのＯＦＤＭシンボルを除外したＯＦＤＭシンボルと前記複数の副搬送波のうち一部副搬送波を含む。即ち、中継器領域１３０、１４０は、周波数領域で区分され、これをＦＤＭ（ｆｒｅｑｕｅｎｃｙ  ｄｉｖｉｓｉｏｎ  ｍｕｌｔｉｐｌｅｘｉｎｇ）されているという。
【００５４】
中継器領域１３０は、制御中継器領域１３２とデータ中継器領域１３４を含む。制御中継器領域１３２は、中継器領域１３０内で前方部の少なくとも一つのＯＦＤＭシンボルを含むことができるが、制御中継器領域１３２の大きさ（即ち、制御中継器領域１３２に含まれるＯＦＤＭシンボルの個数）は制限なく、システムによって固定されても、可変されてもよい。制御中継器領域１３２の大きさが可変される場合、その大きさは、既存ＰＣＦＩＣＨを介して知らせることができ、またはシステム情報の一部または中継器領域１３０内で別途のチャネルを介して知らせることもできる。
【００５５】
制御中継器領域１３２では中継器に対する制御チャネル（これをＲ−ＰＤＣＣＨと呼ぶ）が送信されることができる。データ中継器領域１３４では中継器に対するデータチャネル（これをＲ−ＰＤＳＣＨと呼ぶ）が送信されることができる。Ｒ−ＰＤＣＣＨは、中継器に対するバックホールダウンリンク無線リソース割当及び中継器に対するバックホールアップリンク無線リソース割当を運ぶことができる。Ｒ−ＰＤＳＣＨは、中継器に対する中継器データ（または送信ブロック（ｔｒａｎｓｐｏｒｔ  ｂｌｏｃｋ）、情報ビット、コードワード、データパケットとも呼ぶ）を運ぶ。Ｒ−ＰＤＣＣＨ内のバックホールダウンリンク無線リソース割当は、データ中継器領域でスケジューリングされた中継器のＲ−ＰＤＳＣＨのリソースを示す。中継器は、Ｒ−ＰＤＣＣＨ上に受信されるバックホールダウンリンク無線リソース割当により指示されるＲ−ＰＤＳＣＨ上に送信ブロックを受信する。中継器は、中継器領域１３０内の制御中継器領域１３２をモニタリングする方法により中継器に割り当てられた制御チャネルを受信することができる。
【００５６】
制御中継器領域１３２とデータ中継器領域１３４は、全ての中継器領域に含まれるものではない。ある中継器領域は制御中継器領域のみを含むことができ、他の中継器領域はデータ中継器領域のみを含むことができる。
【００５７】
中継器領域１３０、１４０の含まれるサブフレームは、無線フレームを構成する１０個のサブフレームのうち一部である。中継器領域１３０、１４０の含まれるサブフレームの位置は、基地局が中継器にシステム情報の一部、上位階層シグナリング及び／またはＰＤＣＣＨ上に知らせることができる。
【００５８】
以下、中継器領域は、基地局が中継器にデータを送信したり、或いは基地局が中継器からデータの受信に使われる無線リソース領域と記述しているが、中継器領域は、基地局がＬＴＥ−Ａ端末にデータを送信したり、或いは基地局がＬＴＥ−Ａ端末からデータの受信に使われることができる。即ち、サブフレームで既存制御領域とデータ領域は、ＬＴＥ端末と下位互換性を提供する領域であり、中継器領域は、下位互換性を提供しない領域である。ＬＴＥ端末との下位互換性の提供に使われる制御領域とデータ領域をレガシー領域（ｌｅｇａｃｙ）領域または端末領域と呼ぶ。中継器領域におけるＬＴＥ端末はどのようなチャネル推定を実行しなくてもよい。説明を明確にするために、以下、中継器領域を中継器が専用に使用する場合に対して記述するが、当業者であれば、中継器領域をＬＴＥ−Ａ端末が専用にまたは中継器と共用に使用する場合に対しても容易に適用することができる。
【００５９】
前述したように、既存３ＧＰＰ  ＬＴＥのサブフレーム構造で制御領域１１０の大きさはＰＨＩＣＨにより指示され、その大きさは、１、２または３個のＯＦＤＭシンボルになることができる。以下、制御領域の大きさによって中継器領域の割当に対して具体的に記述する。
【００６０】
まず、サブフレーム内で中継器がアクセスリンクで自体の管理する中継器端末にＰＤＣＣＨを送る領域が必要である。これをアクセス制御領域と呼ぶ。即ち、サブフレーム内で基地局がマクロ端末にＰＤＣＣＨの送信中、中継器は中継器端末にＰＤＣＣＨを送ることである。また、中継器が中継器端末にＰＤＣＣＨを送った後、再び自体の中継器領域を受信するためにはＲＦ送信からＲＦ受信への物理的な転換が必要である。この転換時間を保障するために保護区間（Ｇｕａｒｄ  Ｔｉｍｅ；ＧＴ；Ｔｒａｎｓｉｔｉｏｎ  Ｔｉｍｅ）が必要である。
【００６１】
第一、アクセス制御領域はサブフレームの前方部の２個のＯＦＤＭシンボルであり、保護区間は１個のＯＦＤＭシンボルと仮定する。図９は、制御領域の大きさが１であるサブフレームで中継器領域の一例を示す。図１０は、制御領域の大きさが２であるサブフレームで中継器領域の一例を示す。図１１は、制御領域の大きさが３であるサブフレームで中継器領域の一例を示す。基地局は、制御領域１８０でマクロ端末であるＬＴＥ端末及び／またはＬＴＥ−Ａ端末にＰＤＣＣＨを送信する。中継器領域１９０、２００は、サブフレームの４番目のＯＦＤＭシンボルから最後のＯＦＤＭシンボルまでを含む。アクセス制御領域の大きさが２であり、保護区間が１ＯＦＤＭシンボルを占めるため、中継器領域は、いずれ場合でも４番目のＯＦＤＭシンボルから始める。
【００６２】
第二、アクセス制御領域はサブフレームの前方部の１個のＯＦＤＭシンボルであり、保護区間は１個のＯＦＤＭシンボルと仮定する。図１２は、制御領域の大きさが１であるサブフレームで中継器領域の一例を示す。図１３は、制御領域の大きさが２であるサブフレームで中継器領域の一例を示す。図１４は、制御領域の大きさが３であるサブフレームで中継器領域の一例を示す。中継器領域は、サブフレームの３番目のＯＦＤＭシンボルから最後のＯＦＤＭシンボルまでを含む。アクセス制御領域の大きさが１であり、保護区間が１ＯＦＤＭシンボルを占めるため、中継器領域は、いずれ場合でも３番目のＯＦＤＭシンボルから始める。
【００６３】
一方、アクセス制御領域の大きさまたは位置及び／または保護区間の大きさは、中継器毎に異なる。図１５は、アクセス制御領域の大きさが異なる場合、サブフレームの構造を例示する。第１の中継器領域２１０は、４番目のＯＦＤＭシンボルから始め、第２の中継器領域２２０は、３番目のＯＦＤＭシンボルから始める。即ち、第１の中継器領域２１０は、アクセス制御領域の大きさが２であり、保護区間が１ＯＦＤＭシンボルを占める中継器に割り当てられる。第２の中継器領域２２０は、アクセス制御領域の大きさが１であり、保護区間が１ＯＦＤＭシンボルを占める中継器に割り当てられる。従って、基地局は、中継器がサポートする保護区間やアクセス制御領域によって割り当てられる中継器領域の位置や大きさを調整することができる。
【００６４】
前述した図９ないし図１５では中継器領域内で制御中継器領域の大きさ（即ち、Ｒ−ＰＤＣＣＨが送信される領域）を１ＯＦＤＭシンボルで例示的に示しているが、これに制限されるものではない。
【００６５】
図１６は、中継器領域内で制御中継器領域割当の一例を示す。中継器領域２４０は、制御中継器領域２４２とデータ中継器領域２４６を含む。また、制御中継器領域２４２は、互いに隣接しない２個の領域２４２ａ、２４２ｂを含む。第１の領域２４２ａは、４番目のＯＦＤＭシンボルを含み、第２の領域２４２ｂは、１３番目のＯＦＤＭシンボルを含むが、含まれるＯＦＤＭシンボルの個数や位置は例示にすぎない。第１の領域２４２ａと第２の領域２４２ｂは、相違の制御チャネルが送信されることができる。時間的に以前である第１の領域２４２ａではＰＤＣＣＨ、ＰＣＦＩＣＨが送信され、第２の領域２４２ｂは、ＰＨＩＣＨが送信されることができる。または、第１の領域２４２ａではバックホールダウンリンクリソース割当を運ぶＰＤＣＣＨが送信され、第２の領域２４２ｂではバックホールアップリンクリソース割当を運ぶＰＤＣＣＨが送信されることができる。
【００６６】
前述した図８ないし図１６に示したように、中継器領域は、多様な形態に設定されることができる。中継器領域の設定のためには中継器領域の開始点、中継器領域の大きさ、制御中継器領域の大きさ及び／または制御中継器領域の形態に関する設定情報が必要である。中継器領域設定は、固定されることができ、或いは所定周期に変わることができる。即ち、中継器領域は、設定されたサブフレーム毎にその形態や大きさが固定されてもよく、或いは所定周期に変わってもよい。または、中継器領域設定情報は、システム情報の一部、ＲＲＣ（ｒａｄｉｏ  ｒｅｓｏｕｒｃｅ  ｃｏｎｔｒｏｌ）メッセージのような上位階層メッセージ及び／またはＲ−ＰＤＣＣＨを介して基地局が中継器に知らせることができる。中継器領域設定情報は、送信ブロックにピギーバック（ｐｉｇｇｙｂａｃｋ）送信されることができる。
【００６７】
以下、Ｒ−ＰＤＣＣＨ上のバックホールダウンリンクリソース割当の構成に対して記述する。バックホールダウンリンクリソース割当を介して中継器はＲ−ＰＤＳＣＨを受信する。前述したように３ＧＰＰ  ＬＴＥではＰＲＢまたはＶＲＢに基づいてリソース割当を構成する。
【００６８】
図１７は、中継器領域割当の一例を示す。中継器領域指示単位（ｒｅｌａｙ  ｚｏｎｅ  ｉｎｄｉｃａｔｉｏｎ  ｕｎｉｔ；以下、ＲＺＩＵという）２５０は、中継器領域の割当を指示するためのリソース割当単位であり、少なくとも一つのＰＲＢを含む。そのようにすると、ＲＺＩＵの周波数領域における大きさは、（ＮＰＲＢ／ＮＲＺＩＵ）のように示すことができる。ここで、ＮＰＲＢは、サブフレームの周波数帯域に含まれる全てのＰＲＢの個数を示し、ＮＲＺＩＵは、サブフレームの周波数帯域に含まれるＲＺＩＵの個数を示す。基地局は、ＮＲＺＩＵを中継器に知らせることができる。
【００６９】
基地局は、中継器領域割当のためにビットマップ形態で割り当てられたＲＺＩＵをスケジューリングされた中継器に知らせることができる。即ち、ＲＺＩＵを０からＮＲＺＩＵ−１までインデックス番号を付け、割り当てられたＲＺＩＵのビットマップを基地局が中継器に知らせる。または、基地局は、中継器領域が始まるＲＺＩＵのインデックスと含まれるＲＺＩＵの個数を知らせることによって、スケジューリングされた中継器に中継器領域割当を知らせることができる。または、基地局は、中継器領域が始まるＲＺＩＵのインデックスと最後のＲＺＩＵのインデックスを知らせることによって、スケジューリングされた中継器に中継器領域割当を知らせることができる。
【００７０】
図１８は、中継器領域割当の一例を示す。図１８の（ａ）は、基地局立場でのサブフレーム構造であり、図１８の（ｂ）は、中継器立場でのサブフレーム構造を示す。図１８の（ａ）で、制御領域２６２でマクロ端末に対するＰＤＣＣＨを送信する。また、４番目のＯＦＤＭシンボルから最後のＯＦＤＭシンボルまでの領域でＲＺＩＵを単位にして中継器領域２６０を割り当てることができる。中継器領域は、マクロ端末に送信するＰＤＳＣＨ領域にＦＤＭして多重化される。図１８の（ｂ）で、中継器は、アクセス制御領域２７２で中継器端末にＰＤＣＣＨのような制御チャネルを送信した後、３番目のＯＦＤＭシンボルで保護区間をおく。また、４番目のＯＦＤＭシンボル以後のＯＦＤＭシンボルを含む第１の中継器領域２７０でＲ−ＰＤＣＣＨを受信し、検出されたＲ−ＰＤＣＣＨにより指示される第２の中継器領域２８０のＲ−ＰＤＳＣＨを介して送信ブロックを受信する。
【００７１】
以下、ＬＴＥ−Ａ端末のためのＰＢＣＨに対して説明する。
【００７２】
図１９は、ＬＴＥ−Ａ端末のためのＰＢＣＨがＬＴＥ端末のためのＰＤＳＣＨとＦＤＭされて割り当てられる例を示す。基地局は、無線フレームに含まれる複数のサブフレームのうち少なくとも一つのサブフレーム３８０の特定ＰＲＢ３９０をＬＴＥ−Ａ端末のためのＰＢＣＨとして割り当てることができる。ＬＴＥ−Ａ端末のためのＰＢＣＨは、ＬＴＥ端末に対するＰＤＳＣＨ４００とＦＤＭされることができる。ＬＴＥ−Ａ端末のためのＰＢＣＨは、無線フレームの整数倍単位で割り当てられることができる。例えば、１０ｍｓ、２０ｍｓまたは４０ｍｓのような時間間隔に割り当てられることができる。
【００７３】
図２０は、ＬＴＥ−Ａ端末のためのＰＢＣＨがＬＴＥ−Ａ端末の制御領域内に割り当てられる例を示す。
【００７４】
基地局は、無線フレームに含まれる複数のサブフレームのうち少なくとも一つのサブフレームを常にＬＴＥ−Ａ端末のためのサブフレームとして設定し、前記サブフレーム内のＬＴＥ−Ａ端末のための制御領域４１０内の特定ＯＦＤＭシンボルまたは特定副搬送波にＬＴＥ−Ａ端末のためのＰＢＣＨ（または／及び動的ＢＣＨ）を割り当てることができる。サブフレーム１の前方部の２個（あるいは１個）のＯＦＤＭシンボルは、ＬＴＥとの下位互換性のためにＬＴＥ端末のための制御領域に割り当てられる。このような方法は、中継器のためのＰＢＣＨにも適用されることができる。
【００７５】
図２１は、ＬＴＥ−Ａ端末のためのＳＣＨ及びＰＢＣＨの割当例を示す。
【００７６】
基地局は、無線フレームに含まれる複数のサブフレームのうち少なくとも一つのサブフレームをＬＴＥ−Ａ端末のためのサブフレームで設定し、前記サブフレーム内のデータ領域４２０にＬＴＥ−Ａ特定的（ＬＴＥ−Ａ  ｓｐｅｃｉｆｉｃ）ＳＣＨ４３０及びＰＢＣＨ４４０を割り当てる。ＬＴＥ−Ａ端末は、このようなＳＣＨ４３０及びＰＢＣＨ４４０を介してセル内の初期進入（ｉｎｉｔｉａｌ  ｅｎｔｒｙ）過程を実行することができる。このような方法は、中継器のためのＳＣＨ及びＰＢＣＨにも適用されることができる。
【００７７】
図１９ないし図２１を参照して説明した方法を用いてＬＴＥ−Ａ端末のためのＰＢＣＨが割り当てられると、ＰＢＣＨを介してＬＴＥ−Ａ端末のためのシステム情報（ｓｙｓｔｅｍ  ｉｎｆｏｒｍａｔｉｏｎ）用ＲＮＴＩをＬＴＥ−Ａ端末に知らせることができる。従って、ＬＴＥ−Ａ端末は、ＬＴＥ−Ａ特定的な動的ＢＣＨ受信が可能である。
【００７８】
図２２は、本発明の実施例が具現されることができる無線通信システムを示すブロック図である。基地局１５００、中継器１５３０及び端末１５５０は、各々無線チャネルを介して通信する。
【００７９】
基地局１５００は、プロセッサ１５０１とＲＦ部１５０２を含む。ＲＦ部１５０２は、無線信号を送信及び／または受信する。プロセッサ１５０１は、ＲＦ部１５０２と連結され、中継器１５３０にデータを送信する。プロセッサ１５０１は、前述した実施例によるサブフレームに対する無線リソース割当及びデータ送信／受信を具現する。
【００８０】
中継器１５３０は、プロセッサ１５３１とＲＦ部１５３２を含む。ＲＦ部１５３２は、無線信号を送信及び／または受信する。プロセッサ１５３１は、ＲＦ部１５３２と連結され、基地局１５００から受信したデータを端末１５５０に中継する。プロセッサ１５３１は、前述した実施例による割り当てられたサブフレームによるデータ送信／受信を具現する。
【００８１】
端末１５５０は、プロセッサ１５５１とＲＦ部１５５２を含む。ＲＦ部１５５２は、無線信号を送信及び／または受信する。プロセッサ１５５１は、ＲＦ部１５５２と連結され、基地局１５００または中継器１５３０からデータを受信して復調及び復号する。
【００８２】
本発明は、ハードウェア、ソフトウェアまたはこれらの組合せで具現されることができる。ハードウェア具現において、前述した機能を遂行するためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御器、マイクロプロセッサ、他の電子ユニットまたはこれらの組合せで具現されることができる。ソフトウェア具現において、前述した機能を遂行するモジュールで具現されることができる。ソフトウェアは、メモリユニットに格納されることができ、プロセッサにより実行される。メモリユニットやプロセッサは、当業者によく知られた多様な手段を採用することができる。
【００８３】
以上、本発明に対して実施例を参照して説明したが、該当技術分野の通常の知識を有する者は、本発明の技術的思想及び領域から外れない範囲内で本発明を多様に修正及び変更させて実施することができる。従って、前述した実施例に限定されず、本発明は、特許請求の範囲内の全ての実施例を含む。
【図１】
0005184703.tif 000005
【図２】
0005184703.tif 000006
【図３】
0005184703.tif 000007
【図４】
0005184703.tif 000008
【図５】
0005184703.tif 000009
【図６】
0005184703.tif 000010
【図７】
0005184703.tif 000011
【図８】
0005184703.tif 000012
【図９】
0005184703.tif 000013
【図１０】
0005184703.tif 000014
【図１１】
0005184703.tif 000015
【図１２】
0005184703.tif 000016
【図１３】
0005184703.tif 000017
【図１４】
0005184703.tif 000018
【図１５】
0005184703.tif 000019
【図１６】
0005184703.tif 000020
【図１７】
0005184703.tif 000021
【図１８】
0005184703.tif 000022
【図１９】
0005184703.tif 000023
【図２０】
0005184703.tif 000024
【図２１】
0005184703.tif 000025
【図２２】
0005184703.tif 000026